【事件の表示】
　特許第２８７９０４４号「シールドトンネル用内面樹脂被覆複合セグメント、およびその施工方法」の請求項１ないし３、６ないし８および１０に係る特許に対する特許異議の申立てについて、次のとおり決定する。
【結　論】
　訂正を認める。
　特許第２８７９０４４号の請求項１ないし３、６ないし８および１０に係る特許を維持する。
【理　由】
１．手続の経緯
　本件特許第２８７９０４４号に係る出願は、平成１０年３月１９日の出願であって、平成１１年１月２２日に特許の設定登録がなされ、その後、その請求項１〜請求項１０に係る発明の特許のうちの請求項１ないし請求項３、請求項６ないし請求項８、および請求項１０に係る発明の特許について中森繁雄から特許異議の申立がなされ、次いで、その請求項１ないし請求項３、請求項６ないし請求項８、および請求項１０に係る発明の特許について取消理由通知がなされ、その指定期間内である平成１２年３月１４日に訂正請求がなされた後、訂正拒絶理由通知が通知され、それに対して平成１２年３月２８日付けで手続補正書が提出されたものである。
　
２．訂正請求の補正の適否
　平成１２年３月２８日付けの訂正請求の補正は、訂正請求の要旨を変更するものではなく、特許法第１２０条の４第３項において準用する同法第１３１条第２項の規定に適合するので、当該訂正請求の補正を認める。
　
３．訂正の要旨
　訂正事項ａ：特許請求の範囲を、特許請求の範囲の減縮および明瞭でない記載の釈明を目的として、次のように訂正する。
「【請求項１】シールドトンネルを構築する内面樹脂被覆複合セグメントにおいて、
　シールドトンネルの円周方向および軸方向に接合される各接合面から構成された枠と湾曲した外側面が一体となっている金属製セグメントと、
　上記金属製セグメントの枠に設けられた継手部材と、
　上記金属製セグメントの内部空間に、金属製セグメントの枠より
内面に向かって傾斜して
　上記枠より
内面に向かって傾斜して
ポリウレタン樹脂、ポリウレア樹脂、あるいはエポキシ樹脂からなる２液
　からなることを特徴とするシールドトンネル用内面樹脂被覆複合セグメント。
　【請求項２】上記継手部材が、金属製セグメントの各接合面に設けられたボルト孔からなり、
　上記コンクリートが、ボルト孔近傍のボルト操作部を除いた金属製セグメントの内部空間に、金属製セグメントの枠より
内面に向かって傾斜して
ている
　【請求項３】上記継手部材が、トンネルの円周方向の接合される一方の接合面および／またはトンネルの軸方向に接合される一方の接合面に設けられた袋ナット部材と、残りの各接合面に設けられたボルト孔からなり、
　上記コンクリートが、ボルト孔近傍のボルト操作部を除いた金属製セグメントの内部空間に、金属製セグメントの枠より
内面に向かって傾斜して
ている
　【請求項４】シールドトンネルの曲面部を構築する内面樹脂被覆複合セグメントにおいて、
  上記金属製セグメントが、トンネルの円周方向に接合される長接合面および短接合面と、トンネルの軸方向に接合される二つの接合面との四面から構成された枠、および湾曲した外側面が一体になっていることを特徴とする請求項１ないし請求項３のいずれか
１項
　【請求項５】上記コンクリートの表面を覆う
ポリウレタン樹脂、ポリウレア樹脂、あるいはエポキシ樹脂からなる２液
１項
　【請求項６】上記金属製セグメントは、ダクタイルセグメントまたはコルゲート型ダクタイルセグメントを含むことを特徴とする請求項１ないし請求項３のいずれか
１項
　【請求項７】 請求項１記載のシールドトンネル用内面樹脂被覆複合セグメントを締結し、シールドトンネルの円周方向および軸方向に接合した後、
　各シールドトンネル用内面樹脂被覆複合セグメント間で金属製セグメントの枠
より内面に向かって傾斜して
シリコン樹脂系またはウレタン樹脂系からなる
　シールドトンネルの内面を平滑化することを特徴とするシールドトンネル用内面樹脂被覆複合セグメントによるシールドトンネルの施工方法。
　【請求項８】請求項２または請求項３記載のシールドトンネル用内面樹脂被覆複合セグメントを締結し、シールドトンネルの円周方向および軸方向に接合した後、
　上記ボルト孔近傍のコンクリート未充填部分に
シリコン樹脂系またはウレタン樹脂系からなる
　各シールドトンネル用内面樹脂被覆複合セグメント間で金属製セグメントの枠から突出したコンクリートによって形成される接合凹部に
シリコン樹脂系またはウレタン樹脂系からなる
　シールドトンネルの内面を平滑化することを特徴とするシールドトンネル用内面樹脂被覆複合セグメントによるシールドトンネルの施工方法。
　【請求項９】上記ボルト孔近傍のコンクリート未充填部分に、合成樹脂製蓋部材を固定した後に注入孔より
シリコン樹脂系またはウレタン樹脂系からなる
前記
ポリウレタン樹脂、ポリウレア樹脂、あるいはエポキシ樹脂からなる２液
　【請求項１０】請求項７ないし請求項９
のいずれか１項に
　使用されるセグメントが、曲線部を構築するシールドトンネル用内面樹脂被覆複合セグメントであることを特徴とするシールドトンネルの施工方法。」
　訂正事項ｂ：特許請求の範囲の記載と発明の詳細な説明の記載との整合を図るため、明瞭でない記載の釈明を目的として、本件特許明細書の段落【０００９】を次のように訂正する。
「【０００９】
 【課題を解決するための手段】
（第１発明）
  本発明のシールドトンネル用内面樹脂被覆複合セグメントは、シールドトンネルの円周方向および軸方向に接合される各接合面から構成された枠と湾曲した外側面が一体となっている金属製セグメントと、上記金属製セグメントの枠に設けられた継手部材と、上記金属製セグメントの内部空間に、金属製セグメントの枠より
内面に向かって傾斜して
内面に向かって傾斜して
ポリウレタン樹脂、ポリウレア樹脂、あるいはエポキシ樹脂からなる２液
　訂正事項ｃ：特許請求の範囲の記載と発明の詳細な説明の記載との整合を図るため、明瞭でない記載の釈明を目的として、本件特許明細書の段落【００１０】を次のように訂正する。
「【００１０】
（第２発明）
  本発明のシールドトンネル用内面樹脂被覆複合セグメントは、上記継手部材が、金属製セグメントの各接合面に設けられたボルト孔からなり、上記コンクリート１２が、ボルト孔近傍のボルト操作部を除いた金属製セグメントの内部空間に、金属製セグメントの枠より
内面に向かって傾斜して
ている
　訂正事項ｄ：特許請求の範囲の記載と発明の詳細な説明の記載との整合を図るため、明瞭でない記載の釈明を目的として、本件特許明細書の段落【００１１】を次のように訂正する。
「【００１１】
（第３発明）
  本発明のシールドトンネル用内面樹脂被覆複合セグメントは、上記継手部材が、トンネルの円周方向の接合される一方の接合面および／またはトンネルの軸方向に接合される一方の接合面に設けられた袋ナット部材と、残りの各接合面に設けられたボルト孔からなり、上記コンクリート１２が、ボルト孔近傍のボルト操作部を除いた金属製セグメントの内部空間に、金属製セグメントの枠より
内面に向かって傾斜して
ている
　訂正事項ｅ：特許請求の範囲の記載と発明の詳細な説明の記載との整合を図るため、明瞭でない記載の釈明を目的として、本件特許明細書の段落【００１３】を次のように訂正する。
「【００１３】
（第５発明）
  本発明のシールドトンネル用内面樹脂被覆複合セグメントにおいて、コンクリートの表面を覆う
ポリウレタン樹脂、ポリウレア樹脂、あるいはエポキシ樹脂からなる２液
　訂正事項ｆ：特許請求の範囲の記載と発明の詳細な説明の記載との整合を図るため、明瞭でない記載の釈明を目的として、本件特許明細書の段落【００１５】を次のように訂正する。
「【００１５】
（第７発明）
  本発明のシールドトンネル用内面樹脂被覆複合セグメントによるシールドトンネルの施工方法は、シールドトンネル用内面樹脂被覆複合セグメントを締結し、シールドトンネルの円周方向および軸方向に接合した後、各シールドトンネル用内面樹脂被覆複合セグメント間で金属製セグメントの枠
より内面に向かって傾斜して
シリコン樹脂系またはウレタン樹脂系からなる
　訂正事項ｇ：特許請求の範囲の記載と発明の詳細な説明の記載との整合を図るため、明瞭でない記載の釈明を目的として、本件特許明細書の段落【００１６】を次のように訂正する。
「【００１６】
（第８発明）
  本発明のシールドトンネル用内面樹脂被覆複合セグメントによるシールドトンネルの施工方法は、シールドトンネル用内面樹脂被覆複合セグメントを締結し、シールドトンネルの円周方向および軸方向に接合した後、上記ボルト孔近傍のコンクリート未充填部分に
シリコン樹脂系またはウレタン樹脂系からなる
シリコン樹脂系またはウレタン樹脂系からなる
　訂正事項ｈ：特許請求の範囲の記載と発明の詳細な説明の記載との整合を図るため、明瞭でない記載の釈明を目的として、本件特許明細書の段落【００１７】を次のように訂正する。
「【００１７】
（第９発明）
  本発明のシールドトンネル用内面樹脂被覆複合セグメントによるシールドトンネルの施工方法は、ボルト孔近傍のコンクリート未充填部分に、合成樹脂製蓋部材を固定した後に注入孔より
シリコン樹脂系またはウレタン樹脂系からなる
前記
ポリウレタン樹脂、ポリウレア樹脂、あるいはエポキシ樹脂からなる２液
　訂正事項ｉ：特許請求の範囲の記載と発明の詳細な説明の記載との整合を図るため、明瞭でない記載の釈明を目的として、本件特許明細書の段落【００２０】を次のように訂正する。
「【００２０】
  また、上記コンクリートの表面は、予め工場において、
ポリウレタン樹脂、ポリウレア樹脂、あるいはエポキシ樹脂からなる２液
内面に向かって傾斜して
前記２液
  第１発明のシールドトンネル用内面樹脂被覆複合セグメントは、円周方向および軸方向に接合された後、上記接合凹部の中にコーキング材を充填することにより、容易にシールドトンネルの内部を平滑化することができる。」
　訂正事項ｊ：特許請求の範囲の記載と発明の詳細な説明の記載との整合を図るため、明瞭でない記載の釈明を目的として、本件特許明細書の段落【００２１】を次のように訂正する。
「【００２１】
  上記枠から突出したコンクリートの上表面または露出した端部を含む全表面には、予め
ポリウレタン樹脂、ポリウレア樹脂、あるいはエポキシ樹脂からなる２液
  上記のように、シールドトンネル用内面樹脂被覆複合セグメントは、予め工場において、コンクリートが打ち込まれていると共に、そのコンクリートの露出面が予め
ポリウレタン樹脂、ポリウレア樹脂、あるいはエポキシ樹脂からなる２液
　訂正事項ｋ：特許請求の範囲の記載と発明の詳細な説明の記載との整合を図るため、明瞭でない記載の釈明を目的として、本件特許明細書の段落【００２２】を次のように訂正する。
「【００２２】
（第２発明）
  第２発明は、シールドトンネル用内面樹脂被覆複合セグメントを構成する金属枠の各接合面にボルト孔を備えた継手部材が設けられている。コンクリートは、上記継手部材のボルト孔近傍のボルト操作部を除いた金属製セグメントの内部空間で、枠より
内面に向かって傾斜して
　訂正事項ｌ：特許請求の範囲の記載と発明の詳細な説明の記載との整合を図るため、明瞭でない記載の釈明を目的として、本件特許明細書の段落【００２３】を次のように訂正する。
「【００２３】
（第３発明）
  第３発明における継手部材は、接合面に袋ナット部材およびボルト孔が設けられている。上記袋ナットは、シールドトンネルの円周方向および軸方向の内の一方および／または他方の接合面に設けられている。また、上記ボルト孔は、継手部材の残りの接合面に設けられている。
  そして、コンクリートは、第２発明と同様に、ボルト孔近傍のボルト操作部を除いた金属製セグメントの内部空間に、金属製セグメントの枠より
内面に向かって傾斜して
　訂正事項ｍ：特許請求の範囲の記載と発明の詳細な説明の記載との整合を図るため、明瞭でない記載の釈明を目的として、本件特許明細書の段落【００２４】を次のように訂正する。
「【００２４】
（第４発明）
  第４発明は、シールドトンネルの曲線部を構築するための内部樹脂被覆セグメントである。上記曲線部の金属セグメントは、シールドトンネルの円周方向に接合される長接合面および短接合面と、トンネルの軸方向に接合される二つの接合面との四面から構成された枠からなる。また、上記曲線部の金属セグメントは、湾曲した外側面を有する。上記金属セグメントの内側は、上記枠より
内面に向かって傾斜して
ポリウレタン樹脂、ポリウレア樹脂、あるいはエポキシ樹脂からなる２液
  上記のようなシールドトンネル用内面樹脂被覆複合セグメントは、袋ナット部材およびボルト孔近傍のボルト操作部、あるいは隣合ったセグメントの湾曲接合面等にシリコン樹脂またはウレタン樹脂等のコーキング材、または発泡材を充填するだけで、二次処理が不要になるため、シールドトンネル内の作業環境が改善される。」
　訂正事項ｎ：特許請求の範囲の記載と発明の詳細な説明の記載との整合を図るため、明瞭でない記載の釈明を目的として、本件特許明細書の段落【００２５】を次のように訂正する。
「【００２５】
（第５発明）
  第５発明は、上記金属製セグメントの枠より
内面に向かって傾斜して
あるいは
からなる２液硬化型樹脂塗膜層
  上記
２液硬化型
塗膜層
ポリウレタン樹脂、ポリウレア樹脂、あるいはエポキシ樹脂からなる２液
塗膜層
　訂正事項ｏ：特許請求の範囲の記載と発明の詳細な説明の記載との整合を図るため、明瞭でない記載の釈明を目的として、本件特許明細書の段落【００２７】を次のように訂正する。
「【００２７】
（第７発明）
  第７発明のシールドトンネル用内面樹脂被覆複合セグメントによるシールドトンネルの施工方法は、トンネルの円周方向および軸方向に接合される二つの湾曲接合面の四面から構成された枠、およびシールドトンネルの曲率に従って湾曲した面を一体にして金属容器が製造される。その後、上記金属容器の内部には、コンクリートが上記枠より
内面に向かって傾斜して
ポリウレタン樹脂、ポリウレア樹脂、あるいはエポキシ樹脂からなる２液
　訂正事項ｐ：特許請求の範囲の記載と発明の詳細な説明の記載との整合を図るため、明瞭でない記載の釈明を目的として、本件特許明細書の段落【００２８】を次のように訂正する。
「【００２８】
  このようにして製造されたシールドトンネル用内面樹脂被覆複合セグメントは、シールドトンネルの組み立て現場に搬送された後、シールドトンネルの円周方向および軸方向に継手部材によって接合される。その後、上記接合されたシールドトンネル用内面樹脂被覆複合セグメントの内面は、上記継手部材近傍等に空間がある場合、モルタルが充填される。また、各シールドトンネル用内面樹脂被覆複合セグメント間で金属製セグメントの枠
より内面に向かって傾斜して
シリコン樹脂系またはウレタン樹脂系からなる
  上記シールドトンネルの施工方法は、二次処理において、シールドトンネル内で樹脂塗膜層を塗布することがないため、作業環境を良好にすることができると共に、工場における樹脂塗膜層のコンクリート表面への塗布が容易である。」
　訂正事項ｑ：特許請求の範囲の記載と発明の詳細な説明の記載との整合を図るため、明瞭でない記載の釈明を目的として、本件特許明細書の段落【００２９】を次のように訂正する。
「【００２９】
（第８発明）
  第８発明のシールドトンネル用内面樹脂被覆複合セグメントは、シールドトンネルの円周方向および軸方向に接合される。その後、充填材は、ボルト孔近傍のコンクリート未充填部分に
シリコン樹脂系またはウレタン樹脂系からなる充填材が
より内面に向かって傾斜して
シリコン樹脂系またはウレタン樹脂系からなる
  充填材として、耐蝕性に優れた樹脂モルタル等を使用した場合、コンクリート未充填部分に蓋や塗装を省略することができる。
  また、上記コンクリートの表面には、予め工場において、
ポリウレタン樹脂、ポリウレア樹脂、あるいはエポキシ樹脂からなる２液
　訂正事項ｒ：特許請求の範囲の記載と発明の詳細な説明の記載との整合を図るため、明瞭でない記載の釈明を目的として、本件特許明細書の段落【００３０】を次のように訂正する。
「【００３０】
（第９発明）
  第９発明において、シールドトンネル用内面樹脂被覆複合セグメントは、ボルト孔近傍のコンクリート未充填部分を合成樹脂製蓋部材によって覆うと共にこれを固定する。その後、
シリコン樹脂系またはウレタン樹脂系からなる
前記
ポリウレタン樹脂、ポリウレア樹脂、あるいはエポキシ樹脂からなる２液
　訂正事項ｓ：特許請求の範囲の記載と発明の詳細な説明の記載との整合を図るため、明瞭でない記載の釈明を目的として、本件特許明細書の段落【００４２】を次のように訂正する。
「【００４２】
 【発明の効果】
  本発明によれば、シールドトンネルにおける直線部または曲線部が予め工場で作製されるため、作業現場で二次処理を行う必要がなくなり、作業環境を向上させることができる。
  本発明によれば、シールドトンネル用内面樹脂被覆複合セグメントが予め工場で製造されるため、寸法精度を向上させることができ、接合部における無理な応力の集中を排除すると共に、水密性を向上させることができる。
  本発明によれば、コンクリートの現場打ちおよび二次処理としての
ポリウレタン樹脂、ポリウレア樹脂、あるいはエポキシ樹脂からなる２液硬化型
  本発明によれば、シールドトンネルの直線部または曲線部が予め工場で製造されており、また、二次処理としての
ポリウレタン樹脂、ポリウレア樹脂、あるいはエポキシ樹脂からなる２液硬化型
  
本発明によれば、ポリウレタン樹脂、ポリウレア樹脂、あるいはエポキシ樹脂からなる２液硬化型樹脂塗料の塗布は、短時間に硬化するため、コンクリートの傾斜した突出部においても膜厚を均一にすることができると共に、塗布された前記２液硬化型樹脂塗膜層が耐薬品性、耐候性、引張強度、耐衝撃性、耐磨耗性等の信頼性に優れている。
本発明によれば、セグメントどうしの隣合った部分には、接合凹部が形成されるため、シリコン樹脂あるいはウレタン樹脂等のコーキング材が充填されて、シールドトンネル内面が平滑面となる。また、前記２液硬化型樹脂塗膜層と前記コーキング材とは、接着性がよいため、なお一層平滑面を保持することができる。
　
４．訂正の適否
　（１）訂正の目的の適否、新規事項の有無及び拡張・変更の存否
　上記訂正事項ａに係る訂正は、特許請求の範囲の減縮および明瞭でない記載の釈明を目的とするものであり、しかもその訂正は、願書に添付した明細書又は図面に記載した事項の範囲内のものであり、さらに、実質上特許請求の範囲を拡張し、又は変更するものではない。
　また、訂正事項ｂないしｓに係る訂正は、訂正事項ａに関連してなされた明瞭でない記載の釈明に該当し、願書に添付した明細書又は図面に記載した事項の範囲内のものであり、実質上特許請求の範囲を拡張し、又は変更するものではない。
　
　（２）独立特許要件の判断
　訂正明細書の請求項１ないし１０に係る発明は、補正された訂正明細書の特許請求の範囲の請求項１ないし１０に記載された事項により特定されるとおりのものであり（以下、「訂正後発明１ないし１０」という。）、これに対して、当審が先に通知した取消理由で引用した、特開平９−２２５９１１号公報（以下、「引用例１」という。）には、段落【0001】【0015】【0022】【0038】の記載及び第１〜５図を参照すると、一対の弧状の主桁、一対の継手板およびスキンプレートにより形成され弧状に湾曲する開放面を有する鋼製の箱体と、各主桁および各継手板には継ぎボルトを通すためのボルト孔が継ぎボルト受入空間に連通して設けられ、継ぎボルト受入空間を除く前記鋼製の箱体内には、開放面から内方に向かって傾斜して盛り上がるようにコンクリートが充填された、トンネル覆工用セグメントが記載されている。
　同、特開平９−３１７３９３号公報（以下、「引用例２」という。）には、段落【0001】【0002】【0009】【0014】【0018】【0019】の記載及び第１図を参照すると、鋼製、ダグタイル鋳鉄製セグメントの内部にコンクリートを充填した覆工用（シールド）セグメントのトンネル内面側のコンクリート表面を接着などの方法により耐腐食性を有するプラスチック、塩化ビニル等の合成樹脂、ゴム等の高分子系膜材で被覆すること、及び、従来から、セグメント本体の内表面に、耐摩擦性、耐腐食性および耐透水性のある素材からなる保護層を設けることが提案されていることが記載されている。
　同、特開平８−１３９９２号公報（以下、「引用例３」という。）には、段落【0001】【0012】【0015】【0024】の記載及び第１〜３図を参照すると、ダグタイルセグメントと称される鋼製または鋳鉄製の箱形部材にコンクリートを充填してなるトンネル覆工用セグメントに、これに隣接して配置される他のセグメントとの連結のため少なくとも１つの袋ナット、あるいは、さらに、少なくとも１つの継手ボルト孔と、該継手ボルト孔に連なる継ぎボルトのための受入空間を備えること、及び、セグメントを周方向及び軸方向に連結した後、継ぎボルト受入空間は、モルタルやコンクリートで充填するセグメントによるトンネルの覆工方法が記載されている。
　同、実願平４−２７３１０号（実開平５−８７０９６号）のＣＤ−ＲＯＭ（以下、「引用例４」という。）には、段落【0017】【0018】の記載及び第７図を参照すると、セグメントを連結ボルトでリング条に組立ててセグメントリングを形成し、このセグメントリングを複数個連結する際に、シールド内面側のセグメントの接合部の隙間部分にコーキング材をコーキングして、シールド内面を平らにするセグメントによるシールド施工方法が記載されている。
　同、特開平９−１０５２９８号公報（以下、「引用例５」という。）には、特許請求の範囲の請求項１に、セグメントの接続に用いられるボルトボックスに、充填材として発泡性硬質樹脂を注入発泡充満させることが、記載されている。
　本件訂正後発明１と、上記引用例１に記載された発明とを比較すると、引用例１に記載された発明における「弧状の主桁」、「継手板」、「一対の弧状の主桁及び一対の継手板」、「スキンプレート」、「鋼製の箱体」及び「ボルト孔」は、それぞれの機能に照らし、各々、本件訂正後発明１の「円周方向接合面」、「軸方向接合面」、「枠」、「湾曲した外側面」、「金属製セグメント」及び「継手部材」に相当するから、両者は、トンネルの円周方向および軸方向に接合される各接合面から構成された枠と湾曲した外側面が一体となっている金属製セグメントと、金属製セグメントの枠に設けられた継手部材と、金属製セグメントの内部空間に、金属製の枠より内方に向かって傾斜して突出するように充填されたコンクリートとからなるトンネル用複合セグメントの点で一致し、下記の点で相違している。
ａ．トンネル用複合セグメントが、本件訂正後発明１では、枠より内方に向かって傾斜して突出したコンクリ−トの表面を覆うポリウレタン樹脂、ポリウレア樹脂、あるいはエポキシ樹脂からなる２液硬化型樹脂塗膜層を有する、シールドトンネル用内面樹脂被覆複合セグメントであるのに対し、引用例１に記載された発明では、そのような構成を有していない点。
　一方、引用例２には、金属製セグメントの内部にコンクリートを充填したシールドトンネル用セグメントのトンネル内面側のコンクリート表面への内面樹脂被覆を、耐腐食性を有するプラスチック、塩化ビニル等の合成樹脂、ゴム等の高分子系膜材を接着などの方法により設けたことは記載されてが、上記相違点ａ．における本件訂正後発明１のように、内面樹脂被覆を、ポリウレタン樹脂、ポリウレア樹脂、あるいはエポキシ樹脂からなる２液硬化型樹脂塗膜層により設けたことは記載されておらず、また、この構成は、引用例３ないし引用例５のいずれにも記載されていない。しかも、これらの引用例に記載された発明を相互に適用しても創出できたとは認められず、この構成により本件訂正後発明１は、明細書記載の作用効果を奏するものであるから、本件訂正後発明１は、上記引用例１乃至５に記載された発明に基いて当業者が容易に発明をすることができたものとはいえない。
　次に、本件訂正後発明２ないし１０について検討すると、訂正後発明２ないし１０はいずれも、本件訂正後発明１を直接あるいは間接に更に限定したものであるから、上記本件訂正後発明１についての判断と同様の理由により、上記引用例１ないし５に記載された発明に基いて当業者が容易に発明をすることができたものとはいえない。
　また、他に訂正後発明１ないし１０が、独立して特許を受けることができない理由を発見しない。
　したがって、本件訂正後発明１ないし１０は、特許出願の際、独立して特許を受けることができるものである。
　
　（３）訂正の適否のむすび
　以上のとおりであるから、上記訂正は、特許法第１２０条の４第２項及び第３項で準用する特許法第１２６条第２〜４項の規定に適合するので、当該訂正を認める。
　
５．異議の申立てについての判断
　（１）申立ての理由の概要
　申立人中森繁雄は、証拠として甲第１ないし６号証を提出して、本件請求項１〜請求項１０に係る発明の特許のうちの請求項１ないし請求項３、請求項６ないし請求項８、および請求項１０に係る発明の特許について、請求項１および２に係る特許発明は、甲第１および２号証に記載された発明に基づいて、請求項３、６に係る特許発明は、甲第１ないし３号証に記載された発明に基づいて、請求項７、１０に係る特許発明は、甲第１、２及び４号証に記載された発明に基づいて、請求項８、１０に係る特許発明は、甲第１ないし４号証に記載された発明に基づいて当業者が容易に発明をすることができたものであるから、特許法第２９条第２項の規定により、特許を受けることができないものであり、本件請求項１ないし請求項３、請求項６ないし請求項８、および請求項１０に係る発明の特許を取り消すべきであると主張している。
　
　（２）判断
　上記甲第１、３ないし６号証刊行物は、取消理由に引用した引用例１ないし５と同じであり、さらに、甲第２号証刊行物には、鋼製のセグメントの内部にコンクリートを充填したシールドトンネル用複合セグメントのコンクリート表面に、ポリエチレン、ウレタンゴム、シリコンゴム等の液状の合成樹脂材料を塗布することにより合成樹脂製の緩衝材層を形成することが記載されているが、これは緩衝材層の形成である上、本件訂正後発明１のように、ポリウレタン樹脂、ポリウレア樹脂、あるいはエポキシ樹脂からなる２液硬化型樹脂塗膜層ではないから、前記４．（２）独立特許要件の判断で示した点をも併せて考慮すると、本件訂正後発明１および２は、甲第１および２号証に記載された発明に基づいて、本件訂正後発明３、６は、甲第１ないし３号証に記載された発明に基づいて、本件訂正後発明７、１０は、甲第１、２及び４号証に記載された発明に基づいて、本件訂正後発明８、１０には、甲第１ないし４号証に記載された発明に基づいて当業者が容易に発明をすることができたものであるとはいえない。
　
６．むすび
　以上のとおりであるから、異議申立ての理由及び証拠によっては、本件の請求項１ないし請求項３、請求項６ないし請求項８、および請求項１０に係る発明の特許を取り消すことはできない。
　また、他に本件請求項１ないし請求項３、請求項６ないし請求項８、および請求項１０に係る発明の特許を取り消すべき理由を発見しない。
　よって、結論のとおり決定する。
【異議決定日】
平成１２年３月３１日（２０００．３．３１）